(57)【特許請求の範囲】
【請求項１】
太陽電池パネル固着用の傾斜面を有する頭部が、石柱本体にジョイントを介して水平方向回動可能に取り付けられた太陽電池パネル設置用の石柱において、前記ジョイントが外筒及び内筒からなる二重筒構造で、且つ抜け止めが施されていることを特徴とする太陽電池パネル設置用の石柱。
【請求項２】
石柱本体の背面長手方向に配線用の溝条又は石支柱本体の長手方向に貫通する配線用の筒孔を設けたことを特徴とする請求項１記載の太陽電池パネル設置用の石柱。
【発明の詳細な説明】
【技術分野】
【０００１】
本発明は、霊廟納骨室内の除湿装置の電源となる太陽電池パネルを設置する石柱に関するものである。
【背景技術】
【０００２】
一般的に霊廟の納骨室（「カロト」と呼ばれている）は地下又は半地下となっている。このため、納骨室内は結露等により湿度が高く、空気が淀み、雑菌の繁殖等により異臭が発生する。そこで従来は、カビや悪臭の発生を防止するために、納骨室と外部との通気孔を設けたり、除湿剤を設置する方法が採られている。
【０００３】
納骨室の内部はその周囲を地中とコンクリート材や石材によって隔てられてはいるが、墓参者が墓石を洗浄したり水をかける風習がある。さらに、地下水や雨水の浸入により、納骨室内部が浸水し、骨壺内に水が溜まってしまうこともある。また、「芝台」や「拝石」の隙間などから侵入したゲジやヤスデなどの湿気を好む昆虫の棲み家となっていることが多く見られる。このような不衛生な環境下にある霊廟であっては、遺族など墓参する者の物故者に対する精神的な安堵感が得られないという問題もあった。
【０００４】
そこで、納骨室を強制的に換気して除湿するべく、太陽電池あるいは商用電源から電力の供給を受けて駆動するファンユニットを備えた吸排気ダクト等を設置した納骨室を備えた墓所が提案されている（例えば、特許文献１、特許文献２及び特許文献３参照。）。本発明者もまた納骨室の換気を強制的且つ自動的に行い、除湿、除菌及び害虫駆除を行うようにした納骨室の換気方法を提案している（特許文献４参照。）。
【先行技術文献】
【特許文献】
【０００５】
【特許文献１】特開平７−２６９１７０号公報
【特許文献２】特開平９−４９３４７号公報
【特許文献３】特許第２６３１８３４号公報
【特許文献４】特開２００７−２８４９２９号公報
【発明の概要】
【発明が解決しようとする課題】
【０００６】
前記したように太陽電池から電力を得る場合、太陽電池パネルは、霊廟の近傍に立設した支柱、とくに、外観意匠を鑑みると墓石と同質の石柱を墓石の近傍に設置して、その頂部に配置されるのが望ましい。しかしながら、季節による日照の変化、霊廟の設置方向あるいは周囲に雑木など遮蔽物があるような日当たりの劣悪な場所においては、換気装置を駆動するのに十分な電力が得られないという問題が発生する。本発明は、前記のような従来技術の課題に鑑み、霊廟の設置環境に応じて太陽電池パネルに充分な受光を行なわせることができる太陽電池パネル設置用の石柱を提供することを目的とする。
【課題を解決するための手段】
【０００７】
そこで、本発明の太陽電池パネル設置用の石柱は、太陽電池パネル固着用の傾斜面を有する頭部が、石柱本体にジョイントを介して水平方向回動可能に取り付けられた太陽電池パネル設置用の石柱において、前記ジョイントが外筒及び内筒からなる二重筒構造で、且つ抜け止めが施されていることを第１の特徴とする。また、石柱本体の背面長手方向に配線用の溝条又は石柱本体の長手方向に貫通する配線用の筒孔を設けたことを第２の特徴とする。
【発明の効果】
【０００８】
本発明によれば、下記の優れた効果がある。
（１）太陽電池パネルの受光面の向きを自由に設定できるので、石柱本体の設置方向に特段の配慮を要しない。
（２）太陽電池パネルの受光面の向きに配慮を要しないので、既設の霊廟にも簡便に取り付けることができる。
（３）石柱の背面長手方向に配線用の長溝又は石柱本体の長手方向に貫通する配線用の長筒孔を設けたので、美観を損ねることがなく、また、修理や交換の際の作業性も良くなる。
【図面の簡単な説明】
【０００９】
【図１】本発明に係る太陽電池パネル設置用の石柱を設置した状態の霊廟を示す正面図である。
【図２】本発明に係る石柱本体の斜視図である。
【図３】ジョイントの分解斜視図である。
【図４】溝条への送電コードの配線方法を示す斜視図である。
【図５】換気装置を取り付けた霊廟の一例を示す斜視図である。
【図６】図５の霊廟の正面図である。
【図７】換気装置ユニットの説明図である。
【発明を実施するための形態】
【００１０】
以下、本発明の実施の形態を図面に示す実施例に基づいて説明する。
【実施例】
【００１１】
本発明の太陽電池パネル設置用の石柱６が付設される霊廟は、例えば、図５乃至図６に示すように、地下から一体的に中空箱型形状に画成された納骨室５と、該納骨室５の上に載置された墓碑１とから構成されている。ここで、納骨室５の左右の壁には外部と連通する吸気口５ａ並びに排気口５ｂがそれぞれ穿設される。そして、吸気口５ａには害虫忌避剤収容タンク３が、排気口５ｂには排気装置２が取付けられる。
【００１２】
図６乃至図７に示すように、排気装置２の円筒形の通気ダクト２ｂの内部には防水を施されたファン２ｃが取り付けられている。ファン２ｃにはモーター２ｄが連結されており、納骨室５の外部地上部の適宜位置に据え付けられ石柱６に取り付けた太陽電池パネル９に送電コード７でもって電気的に接続され、太陽電池パネル９から供給される電力によって回動する。通気ダクト２ｂは納骨室５の壁に穿設された排気孔５ｂに挿通され、フードカバー２ａが金網２ｅを介して嵌合して取り付けられており、納骨室５外部と通気可能に設けられている。ここで、排気装置２は太陽電池パネル９が発電しない雨天時及び夜間を除いて常時駆動し、納骨室５内の湿気や悪臭を帯びた空気を外部に排出する。
【００１３】
ここで、害虫忌避剤としては、ヒバオイル、ヒノキオイル、ラベンダーオイル等の殺菌性の高い液体が用いられる。これらはそれぞれ単体で用いても良いし、望ましくはこれらを幾種か適宜混合することで、害虫の忌避効果のみならず芳香も得られる。そして、害虫忌避剤収容タンク３と吸気口５ａとをフレックスダクト３ａ等で連通し、排気装置２を駆動させると、その引圧により害虫忌避剤８が納骨室５内に蒸散される。排気装置２が駆動している間は常に納骨室５内に害虫忌避剤が蒸散された状態となる。尚、害虫忌避剤収容タンク３は、墓碑１と同材質の石製のカバー４あるいは一体的に設けた収納ボックスにより通常は隠蔽する。
【００１４】
以上のような構成によって、太陽電池パネル９から送電されて排気装置２が作動し、納骨室５内を換気する。すなわち、霊廟の地上部分に、太陽電池パネル９に電気的に接続されたモーター２ｄによって駆動される排気装置２を備え、霊廟の地上あるいは半地下部分にある納骨室５の室内空間を通風可能にする。そして、太陽電池パネル９を石材で作った石柱６の頂部に太陽に向けて装着すれば太陽光の収集効率を高められばかりでなく、墓地の景観を壊すこともない。
【００１５】
図１乃至図３に示すように、本発明に係る太陽電池パネル設置用の石柱６は、太陽電池パネル９固着用の傾斜面６ｄを有する頭部６ａが、石柱本体６ｂの頂部に金属製のジョイント８を介して水平方向に回動自在に取り付けられる。ジョイント８は、下端鍔部８ｇを備えた外筒８ａ及び中間鍔部８ｆを備えた内筒８ｂからなる二重筒構造で、外筒８ａの内側面に設けられた突起８ｃを、内筒８ｂの上端縁の切欠き８ｄから挿入して、内筒８ｂの外周溝条８ｅに嵌め込むことで抜け止めが施されると共に、外筒８ａと内筒８ｂは全周方向において自由に摺動可能である。そして、このジョイント８の外筒８ａを石柱６の頭部６ａの底面に設けられたジョイント嵌合孔６ｅに、ジョイント８の内筒８ｂの中間鍔部８ｆの下部８ｈを石柱本体６ｂの頂面に設けられたジョイント嵌合孔６ｃに嵌め込むことで、頭部６ａと石柱本体６ｂとを連結すると共に、頭部６ａが石柱本体６ｂに対して自由に回動して任意に位置決めできる。すなわち、石柱本体６ｂの立設方向に制限されることなく、太陽光パネル９の受光面を自由な方向に向けて設定できる。また、ジョイント８に抜け止めが施されていることにより、頭部６ａの不測の位置ズレや落下を防止できる。
【００１６】
また、太陽電池パネル９の送電コード７は、石柱６の頭部６ａ、石柱本体６ｂのいずれにおいても、その背面長手方向（縦方向）に配線用の溝条６ｄ、または、これらを貫通する配線用の筒孔を６ｅ設け、図４に示すように、配線後に発泡スチロール等の可撓性のあるパッキング１０で押圧固定し、さらに外表面に養生テープ１１を貼付して被覆固定する。このように配線すれば、送電コード７の劣化防止は無論のこと、石柱６の美観を損ねることもなく、また、修理、交換に際しての作業性も良くなる。とくに、無垢材を使用する場合において、その効果は顕著である。
【符号の説明】
【００１７】
１      墓碑
２      排気装置
２ａ    フードカバー
２ｂ    通気ダクト
２ｃ    ファン
２ｄ    モーター
２ｅ    金網
３      害虫忌避剤収容タンク
３ａ    ダクト
４      カバー
５      納骨室
５ａ    吸気口
５ｂ    排気口
６      石柱
６ａ    石柱の頭部
６ｂ    石柱本体
６ｃ    ジョイント嵌合孔
６ｄ    溝条
６ｅ    筒孔
６ｆ    傾斜面
７      送電コード
８      ジョイント
８ａ    外筒
８ｂ    内筒
８ｃ    外筒の突起
８ｄ    内筒の切欠き
８ｅ    内筒の外周溝条
８ｆ    内筒の中間鍔部
８ｇ    外筒の下端鍔部
８ｈ    内筒の下部
９      太陽電池パネル
１０    可撓性パッキング
１１    養生テープ
【図１】
0005769054.tif 000002
【図２】
0005769054.tif 000003
【図３】
0005769054.tif 000004
【図４】
0005769054.tif 000005
【図５】
0005769054.tif 000006
【図６】
0005769054.tif 000007
【図７】
0005769054.tif 000008